【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】印刷制御装置及び印刷制御方法
【手続補正２】
【補正対象書類名】明細書
【補正対象項目名】特許請求の範囲
【補正方法】変更
【補正の内容】
【特許請求の範囲】
【請求項１】  配信ファイルから生成元のサーバ及び配信ジョブに関する情報を取得する第１の情報取得手段と、
以前に取得されて保存されている配信ジョブの処理履歴情報を取得する第２の情報取得手段と、
上記第１の情報取得手段によって上記配信ファイルから取得した情報と、上記第２の情報取得手段によって取得された配信ジョブの処理履歴情報とを比較する情報比較手段と、
上記情報比較手段によって比較した結果から、印刷装置による印刷処理を行うかどうかを判断する印刷判断手段とを有することを特徴とする印刷制御装置。
【請求項２】  上記印刷装置による印刷処理を行った配信ファイルに関して、配信ファイルから取得した生成元のサーバを含む情報を履歴情報として記録媒体に保存する情報保存手段を有することを特徴とする請求項１に記載の印刷制御装置。
【請求項３】  上記配信ファイルに関する情報を履歴情報として記録媒体に保存する際に、処理の状況に関する情報を付加する情報付加手段と、
上記情報付加手段によって履歴情報として記録媒体に保存された処理の状況に応じて、配信された配信ファイルが以前に処理を中断されたものかどうかを判定する中断判定手段と、
上記中断判定手段により以前に処理を中断された配信ファイルだと判定された場合、その配信された配信ファイルの処理を再実行する再実行手段とを有することを特徴とする請求項１に記載の印刷制御装置。
【請求項４】  上記配信ファイルが削除できない属性であった場合に処理を中断する処理中断手段と、
上記配信ファイルが必要なくなった時点でその配信ファイルを削除する配信ファイル削除手段とを有することを特徴とする請求項１に記載の印刷制御装置。
【請求項５】  配信ファイルから生成元のサーバ及び配信ジョブに関する情報を取得する第１の情報取得工程と、
以前に取得されて保存されている配信ジョブの処理履歴情報を取得する第２の情報取得工程と、
上記第１の情報取得工程において上記配信ファイルから取得した情報と、上記第２の情報取得工程において取得された配信ジョブの処理履歴情報とを比較する情報比較工程と、
上記情報比較工程において比較した結果から、印刷装置による印刷処理を行うかどうかを判断する印刷判断工程とを有することを特徴とする印刷制御方法。
【請求項６】  上記印刷装置による印刷処理を行った配信ファイルに関して、配信ファイルから取得した生成元のサーバを含む情報を履歴情報として記録媒体に保存する情報保存工程を有することを特徴とする請求項５に記載の印刷制御方法。
【請求項７】  上記配信ファイルに関する情報を履歴情報として記録媒体に保存する際に、処理の状況に関する情報を付加する情報付加工程と、
上記情報付加工程において履歴情報として記録媒体に保存された処理の状況に応じて、配信された配信ファイルが以前に処理を中断されたものかどうかを判定する中断判定工程と、
上記中断判定工程により以前に処理を中断された配信ファイルだと判定された場合、その配信された配信ファイルの処理を再実行する再実行工程とを有することを特徴とする請求項５に記載の印刷制御方法。
【請求項８】  上記配信ファイルが削除できない属性であった場合に処理を中断する処理中断工程と、
上記配信ファイルが必要なくなった時点でその配信ファイルを削除する配信ファイル削除工程とを有することを特徴とする請求項５に記載の印刷制御方法。
【請求項９】  配信ファイルから生成元のサーバ及び配信ジョブに関する情報を取得する第１の情報取得工程と、
以前に取得されて保存されている配信ジョブの処理履歴情報を取得する第２の情報取得工程と、
上記第１の情報取得工程において上記配信ファイルから取得した情報と、上記第２の情報取得工程において取得された配信ジョブの処理履歴情報とを比較する情報比較工程と、
上記情報比較工程において比較した結果から、印刷装置による印刷処理を行うかどうかを判断する印刷判断工程とを有する印刷制御方法をコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は印刷制御装置、印刷制御方法及びコンピュータプログラムに関し、特に、罫線や文字からなる定型文書である帳票、及びそれに付随するデータの配信と印刷に関するシステムに用いて好適なものである。
【手続補正４】
【補正対象書類名】明細書
【補正対象項目名】０００９
【補正方法】変更
【補正の内容】
【０００９】
【課題を解決するための手段】
本発明の印刷制御装置は、配信ファイルから生成元のサーバ及び配信ジョブに関する情報を取得する第１の情報取得手段と、以前に取得されて保存されている配信ジョブの処理履歴情報を取得する第２の情報取得手段と、前記第１の情報取得手段によって前記配信ファイルから取得した情報と、前記第２の情報取得手段によって取得された配信ジョブの処理履歴情報とを比較する情報比較手段と、前記情報比較手段によって比較した結果から、印刷装置による印刷処理を行うかどうかを判断する印刷判断手段とを有することを特徴とする。
また、本発明の印刷制御装置の他の特徴とするところは、前記印刷装置による印刷処理を行った配信ファイルに関して、配信ファイルから取得した生成元のサーバを含む情報を履歴情報として記録媒体に保存する情報保存手段を有することを特徴とする。
また、本発明のその他の特徴とするところは、前記配信ファイルに関する情報を履歴情報として記録媒体に保存する際に、処理の状況に関する情報を付加する情報付加手段と、前記情報付加手段によって履歴情報として記録媒体に保存された処理の状況に応じて、配信された配信ファイルが以前に処理を中断されたものかどうかを判定する中断判定手段と、前記中断判定手段により以前に処理を中断された配信ファイルだと判定された場合、その配信された配信ファイルの処理を再実行する再実行手段とを有することを特徴とする。
また、本発明の印刷制御装置のその他の特徴とするところは、前記配信ファイルが削除できない属性であった場合に処理を中断する処理中断手段と、前記配信ファイルが必要なくなった時点でその配信ファイルを削除する配信ファイル削除手段とを有することを特徴とする。
【手続補正５】
【補正対象書類名】明細書
【補正対象項目名】００１０
【補正方法】変更
【補正の内容】
【００１０】
本発明の印刷制御方法は、配信ファイルから生成元のサーバ及び配信ジョブに関する情報を取得する第１の情報取得工程と、以前に取得されて保存されている配信ジョブの処理履歴情報を取得する第２の情報取得工程と、前記第１の情報取得工程において前記配信ファイルから取得した情報と、前記第２の情報取得工程において取得された配信ジョブの処理履歴情報とを比較する情報比較工程と、前記情報比較工程において比較した結果から、印刷装置による印刷処理を行うかどうかを判断する印刷判断工程とを有することを特徴とする。
また、本発明の印刷制御方法の他の特徴とするところは、前記印刷装置による印刷処理を行った配信ファイルに関して、配信ファイルから取得した生成元のサーバを含む情報を履歴情報として記録媒体に保存する情報保存工程を有することを特徴とする。
また、本発明の印刷制御方法のその他の特徴とするところは、前記配信ファイルに関する情報を履歴情報として記録媒体に保存する際に、処理の状況に関する情報を付加する情報付加工程と、前記情報付加工程において履歴情報として記録媒体に保存された処理の状況に応じて、配信された配信ファイルが以前に処理を中断されたものかどうかを判定する中断判定工程と、前記中断判定工程により以前に処理を中断された配信ファイルだと判定された場合、その配信された配信ファイルの処理を再実行する再実行工程とを有することを特徴とする。
また、本発明のその他の特徴とするところは、前記配信ファイルが削除できない属性であった場合に処理を中断する処理中断工程と、前記配信ファイルが必要なくなった時点でその配信ファイルを削除する配信ファイル削除工程とを有することを特徴とする。
【手続補正６】
【補正対象書類名】明細書
【補正対象項目名】００１１
【補正方法】変更
【補正の内容】
【００１１】
本発明のコンピュータプログラムは、配信ファイルから生成元のサーバ及び配信ジョブに関する情報を取得する第１の情報取得工程と、以前に取得されて保存されている配信ジョブの処理履歴情報を取得する第２の情報取得工程と、前記第１の情報取得工程において前記配信ファイルから取得した情報と、前記第２の情報取得工程において取得された配信ジョブの処理履歴情報とを比較する情報比較工程と、前記情報比較工程において比較した結果から、印刷装置による印刷処理を行うかどうかを判断する印刷判断工程とを有する印刷制御方法をコンピュータに実行させることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
【発明の実施の形態】
次に、添付図面を参照しながら本発明の印刷制御装置、印刷制御方法及びコンピュータプログラムの実施の形態について説明する。
【手続補正９】
【補正対象書類名】明細書
【補正対象項目名】００６８
【補正方法】変更
【補正の内容】
【００６８】
【発明の効果】
以上説明してきたように、本発明によれば、サーバから配信されるファイルであって、配信ファイルの中に埋め込まれている配信ジョブに関する情報を取り出すとともに、上記取り出した配信ジョブに関する情報を履歴保存しておき、上記履歴保存した情報に基づいて、印刷処理してもよいファイルであるか否かを判断すること、同一の配信ファイルであっても処理の状況に応じて処理を再実行すること、及び配信されたファイルを不要になった時点で削除することを行うようにしたので、データの改ざんを防止することができるとともに、同一データを使用した印刷が複数回実行されることを防止することができる。